(57)【要約】【課題】遊技機の制御を為す制御基板を内部に収容した基板ケースにおいて、基板ケースが不正に開放されたことをより確実に検出することができる制御基板、基板ケースの不正開放検出構造を提供すること。【解決手段】この制御基板３４は、第一収容部材３５ｂと第二収容部材３５ａとが係合した基板ケース３５内部に収容されて、遊技機の制御を為す制御基板３４であって、第一収容部材３５ｂに固定される固定部３４ａと、基板ケース３５内部に収容することにより第二収容部材３５ａに係止される係止部３４ｂと、を有し、固定部３４ａと係止部３４ｂは、第一収容部材３５ｂと第二収容部材３５ａの係合を解除する方向の移動を規制しており、固定部３４ａと係止部３４ｂとの間には、第一収容部材３５ｂと第二収容部材３５ａの係合を解除する方向の外力により破壊する脆弱部３４ｃが形成されている。【選択図】図４
2010022584.tif 000002
【特許請求の範囲】
【請求項１】
第一収容部材と第二収容部材とが係合した基板ケース内部に収容されて、遊技機の制御を為す制御基板であって、
前記第一収容部材に固定される固定部と、前記基板ケース内部に収容されることにより第二収容部材に係止される係止部と、前記固定部と前記係止部との間に配置された脆弱部と、を有し、
前記固定部が前記第一収容部材に固定され、かつ前記係止部が前記第二収容部材に係止されることにより、前記第一収容部材と前記第二収容部材との係合を解除する方向への前記第一収容部材と前記第二収容部材の移動を規制しており、
前記脆弱部は、前記第一収容部材と前記第二収容部材の係合を解除する方向の外力により破壊されるように形成されている、制御基板。
【請求項２】
前記脆弱部が破壊されることによって、前記遊技機の制御機能を発揮しないように構成されている、請求項１に記載の制御基板。
【請求項３】
前記脆弱部は、該制御基板の表面又は裏面に形成された薄肉部である、請求項１又は請求項２に記載の制御基板。
【請求項４】
第一収容部材と第二収容部材とが係合することにより遊技機の制御を為す制御基板を収容する基板ケースの不正開放検出構造であって、
前記制御基板の表面又は裏面の一方側には、前記第一収容部材が配置され、他方側には、前記第二収容部材が配置されており、
前記基板ケースに収容された前記制御基板が、前記第一収容部材に固定され、かつ前記第二収容部材に係止されていることにより、前記第一収容部材と前記第二収容部材の係合を解除する方向の移動が規制されており、
前記第一収容部材と前記第二収容部材との係合を解除する方向の外力によって破壊される脆弱部が前記制御基板に設けられている、基板ケースの不正開放検出構造。
【請求項５】
前記基板ケースは、前記第一収容部材の開口部と前記第二収容部材の開口部とが合わせられるように係合して、該開口部に前記制御基板が収容可能に構成されており、
前記第一収容部材又は前記第二収容部材は、前記基板ケースの一側面を軸として揺動可能に支持されており、該第一収容部材又は該第二収容部材が揺動することにより、該第一収容部材と該第二収容部材とが係合する状態と、該第一収容部材と該第二収容部材の係合を解除する状態と、が実現可能に構成されている、請求項４に記載の基板ケースの不正開放検出構造。
【請求項６】
前記基板ケースは、前記第一収容部材の開口部と前記第二収容部材の開口部とが合わせられるように係合して、該開口部に前記制御基板が収容可能に構成されており、
前記基板ケースの一側面に沿って、前記第一収容部材又は前記第二収容部材がスライド移動することにより、該第一収容部材と該第二収容部材とが係合する状態と、該第一収容部材と該第二収容部材の係合を解除する状態と、が実現可能に構成されており、
前記脆弱部は、前記基板ケースの一側面から前記開口部を挟んで対向する側面に向かう方向において、前記固定部と前記係止部との間に配置されている、請求項４に記載の基板ケースの不正開放検出構造。
【請求項７】
前記基板ケースは、第一収容部材と第二収容部材との係合状態を保持するとともに、係合を解除された際の痕跡を残留させる痕跡残留部が設けられている、請求項４から請求項６のいずれかに記載の基板ケースの不正開放検出構造。
【請求項８】
遊技を実現する遊技装置体と、
遊技装置体を内包する遊技機枠と、
上記請求項１から請求項３のいずれかに記載の制御基板と、
前記制御基板を収容して該制御基板を前記遊技装置体又は前記遊技機枠に対して着脱自在に装着する基板ケースと、を有する遊技機。
【発明の詳細な説明】
【技術分野】
【０００１】
本発明は、遊技機の制御を為す制御基板を内部に収容した基板ケースが不正に開放されることを検出する制御基板、基板ケースの不正開放検出構造、及び遊技機に関する。
【背景技術】
【０００２】
パチンコ機、スロットマシン等の遊技機は、この遊技機の動作を制御する制御基板が設けられている。制御基板は、演算処理手段としてのＣＰＵ、記憶素子としてのＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等で構成されており、例えば、景品球等の払出制御、電動役物の動作制御、表示装置の画像制御、特別遊技の当否抽選等、遊技機の動作を制御する。
【０００３】
近年、制御基板のＲＯＭに対して不正操作をする不正行為が問題となっており、例えば、制御基板のＲＯＭを不正なＲＯＭと交換して、遊技機を不正に制御して景品球を引き出すことが行われている。このような不正行為を防止するため、制御基板は、基板ケースに収容されており、この基板ケースには、ケースを開封した際に痕跡を残して、ケースが開封されたことを検知させるための開封検出手段が設けられている。
【０００４】
しかし、開封検出手段を設けて、開封された際に基板ケースに痕跡を残していても、基板ケースを目視して確認しなければ基板ケースを開封されたか否かを検出することはできない。したがって、不正に開放されたことを早期に検出することができないおそれがある。
【０００５】
特許文献１には、このような問題に鑑みてなされた基板ケースが記載されている。この基板ケースは、カシメケースと、カシメケースに対してカシメ状態でＲＯＭ及び制御基板を覆うＲＯＭカバーと、を備えており、ＲＯＭカバーを破壊しない限りＲＯＭ及び制御手段が取り出せないように構成されている。カシメケースとＲＯＭカバーのカシメ状態は、ＲＯＭカバーの両端に連結部材を介して接続された嵌め殺し突起とカシメケースの両端に形成された嵌合穴との嵌合によって実現される。このように構成された基板ケースにおいて、ＲＯＭカバーを開放する際は連結部材を切断する。連結部材は、導電部材によって形成されて通電している。連結部材が切断されると、その切断状態を電気的に検知して、基板ケースが開放されたことを検出する。
【０００６】
【特許文献１】特開２００６−３４６７１号公報
【発明の開示】
【発明が解決しようとする課題】
【０００７】
しかし、遊技機の電源が投入されていない状態において、連結部材が切断された場合には、連結部材が切断されたことを検出することができない。更に、この断電状態において、連結部材を元の状態に戻して、通電状態を復帰することにより、電源が投入された際に、不正に基板ケースが開放されたことを検出できないおそれがある。
【０００８】
本発明は、上記の事情に鑑みて為されたものであり、遊技機の制御を為す制御基板を内部に収容した基板ケースにおいて、基板ケースが不正に開放されたことをより確実に検出することができる制御基板、基板ケースの不正開放検出構造を提供することを例示的課題とする。
【課題を解決するための手段】
【０００９】
上記の課題を解決するために、本発明の例示的側面としての制御基板は、第一収容部材と第二収容部材とが係合した基板ケース内部に収容されて、遊技機の制御を為す制御基板であって、第一収容部材に固定される固定部と、基板ケース内部に収容されることにより第二収容部材に係止される係止部と、固定部と係止部との間に配置された脆弱部と、を有し、固定部が第一収容部材に固定され、かつ係止部が第二収容部材に係止されることにより、第一収容部材と第二収容部材との係合を解除する方向への第一収容部材と第二収容部材の移動を規制しており、脆弱部は、第一収容部材と第二収容部材の係合を解除する方向の外力により破壊されるように形成されている。
【００１０】
制御基板の固定部は、第一収容部材に固定され、第一収容部材と第二収容部材とが係合した基板ケースの内部に制御基板が収容される。制御基板の係止部は、基板ケース内部に収容されることにより第二収容部材に係止される。固定部が第一収容部材に固定されているとともに、係止部が第二収容部材に係止されていることにより、第一収容部材と第二収容部材の係合が解除される方向への第一収容部材と第二収容部材の移動が規制される。
【００１１】
基板ケース内部に制御基板が収容された状態で、第一収容部材と第二収容部材の係合を解除する方法に外力がかかると、制御基板は、固定部を介して第一収容部材側に引かれるとともに、係止部を介して第二収容部材側に引かれる。すなわち、制御基板には、固定部と係止部を介して異なる方向に引かれる力が作用する。固定部と係止部との間には脆弱部が形成されており、この脆弱部を挟んで制御基板には異なる方向に引く力が作用する。
【００１２】
脆弱部は、第一収容部材と第二収容部材との係合を解除する方向の外力により破壊されるように構成されており、係合を解除する外力によって制御基板の一部を構成する脆弱部が破壊される。制御基板の一部が破壊するため、制御基板が遊技機に取り付けられた状態において、制御基板の一部又は全部の遊技の制御機能は発揮されなくなり、不正に基板ケースが開放されたことを確実に検出することができる。更に、制御基板の脆弱部が破壊されることによって、遊技を停止したり、不正に開放されたことを報知することにより、例えば、不正な景品球の払出し等、不正な遊技の継続を効果的に防止することが可能となる。
【００１３】
制御基板は、パチンコ遊技機、スロットマシン等の遊技機の各種制御を為す制御基板である。例えば、特別遊技の抽選等遊技の制御を行う主制御基板、演出画像及び特別遊技の抽選結果を表示する画像表示装置における画像演出の制御を行う画像制御基板、入賞態様に応じて遊技媒体の払出しを制御する払出制御基板、遊技領域への遊技媒体の発射を制御する発射制御基板、を例示できる。
【００１４】
固定部は、基板ケースを構成する第一収容部材と固定される部分であり、第一収容部材と直接固定されるように構成してもよいし、部品を介して間接的に第一収容部材と固定されるように構成してもよい。固定部の具体的な構成としては、例えば、制御基板に開口形成された穴部であって、第一収容部材に形成された突起が挿入することにより第一収容部材に固定される構成、及び制御基板に開口形成された穴部であって、第一収容部材に形成された穴部とともに締結部材によって締結されることにより、第一収容部材に固定される構成、を例示できる。
【００１５】
係止部は、基板ケースに収容されることにより、基板ケースを構成する第二収容部材に係止する部分であり、第二収容部材に直接係止するように構成してもよいし、部品等を介して第二収容部材に間接的に係止するように構成してもよい。係止部の具体的な構成としては、例えば、制御基板に突設された突起部であって、基板ケースに制御基板が収容されることにより、第二収容部材の爪部が突起部に掛かり、第二収容部材に係止する構成、制御基板に開口形成された穴部であって、基板ケースに制御基板が収容されることにより、第二収容部材に形成された穴部とともに嵌め殺し構造の突起が挿入されて、第二収容部材に係止する構成、を例示できる。
【００１６】
脆弱部は、制御基板の固定部と係止部との間に配置され、第一収容部材と第二収容部材の係合を解除する方向の外力により破壊される部分である。脆弱部は、制御基板の他の部分と比較して強度が低く構成されている。第一収容部材と第二収容部材の係合を解除する方向の外力が加えられることにより、制御基板の他の部分よりも強度が低い脆弱部が破壊される。制御基板の一部を構成する脆弱部が破壊することにより、この制御基板による遊技制御の全部又は一部が機能しなくなる。脆弱部の具体的な構成としては、例えば、厚みを薄く形成する構成、多数のスルーホールによってミシン目を形成する構成を例示することができる。
【００１７】
また、制御基板は、脆弱部が破壊されることにより、遊技機の制御機能を発揮しないように構成することが望ましい。この制御基板が遊技機に取り付けられた状態において、基板ケースを不正開放された際に、遊技の制御機能を直ちに停止することができ、不正な景品球の払出し等、不正な遊技の継続を効果的に防止することが可能となる。また、不正に基板ケースが開放された遊技機は、遊技の制御機能が停止しており、他の遊技機と異なる態様となる。したがって、仮に基板ケースが不正に開放されたことを報知する報知手段を設けない場合であっても、遊技機を視認することにより基板ケースが不正に開放されたことを報知することが可能となる。
【００１８】
また、脆弱部は、制御基板の表面又は裏面に形成された薄肉部であることが望ましい。脆弱部は、制御基板の他の部分と比べて材質の強度や構造の強度が異なることにより強度が低く形成されていればよく、種々の構成を採用することができる。例えば、脆弱部を制御基板の表面又は裏面に形成された薄肉部とすることにより、制御基板の他の部分より板厚を小さくして、低い強度とすることができる。また、薄肉部の深さ、長さ等を適宜調整して形成することができるため、係合を解除する外力に応じて薄肉部を調整して形成し、基板ケースが不正に開放された際に、確実に脆弱部が破壊するように構成することが可能となる。また、薄肉部は、表面又は裏面に形成することため、制御基板に新たな部品等を付すことが不要であり、部品点数の増加を抑制し、従来の制御基板にも容易に形成することが可能である。
【００１９】
本発明の他の例示的な側面としての基板ケースの不正開放検出構造は、第一収容部材と第二収容部材とが係合することにより遊技機の制御を為す制御基板を収容する基板ケースの不正開放検出構造であって、制御基板の表面又は裏面の一方側には、第一収容部材が配置され、他方側には、第二収容部材が配置されており、基板ケースに収容された制御基板が、第一収容部材に固定され、かつ第二収容部材に係止されていることにより、第一収容部材と第二収容部材の係合を解除する方向の移動が規制されており、第一収容部材と第二収容部材の係合を解除する方向の外力によって破壊される脆弱部が制御基板に設けられている。
【００２０】
基板ケースに収容された制御基板は、第一収容部材に固定され、かつ第二収容部材に係止されており、第一収容部材と第二収容部材の係合を解除する方向の移動が規制されている。第一収容部材は、制御基板の表面又は裏面の一方側に配置され、第二に収容部材は、他方側に配置されており、制御基板の表裏面を挟んで第一収容部材と第二収容部材は対向して配置されている。基板ケースに対して第一収容部材と第二収容部材の係合を解除する方向の外力が加えられると、制御基板には第一収容部材側に引かれる力と第二収容部材側に引かれる力とが加わり、制御基板の脆弱部が破壊される。
【００２１】
すなわち、この基板ケースの不正開放検出構造によれば、不正に基板ケースを開放しようとして、第一収容部材と第二収容部材の係合を解除する方向の外力が基板ケースに加わると、その外力によって制御基板の一部である脆弱部が破壊される。したがって、基板ケースの係合を解除されても、制御基板の一部が壊れているため、制御基板の一部又は全部の遊技の制御機能は発揮されなくなり、不正に基板ケースが開放されたことをより確実に検出することができる。
【００２２】
また、基板ケースの不正開放検出構造は、基板ケースが第一収容部材の開口部と第二収容部材の開口部とが合わせられるように係合して、開口部に制御基板が収容可能に構成されており、第一収容部材又は第二収容部材は、基板ケースの一側面を軸として揺動可能に支持されており、第一収容部材又は第二収容部材が揺動することにより、第一収容部材と第二収容部材とが係合する状態と、第一収容部材と第二収容部材の係合を解除する状態と、が実現可能に構成されていてもよい。
【００２３】
このように構成された基板ケースによれば、第一収容部材と第二収容部材とによって画定された開口部に基板ケースを収容し、基板ケースの一側面を軸として第一収容部材又は第二収容部材が揺動することによって、開口部を開閉して、第一収容部材と第二収容部材が係合する状態と、係合を解除する状態とを実現することができる。制御基板は、第一収容部材に固定されているとともに、第二収容部材に係止している。
【００２４】
係合を解除しようとする方向の外力が基板ケースに加えられると、制御基板には第一収容部材側に引かれる力と、第二収容部材側に引かれる力が加わる。第一収容部材又は第二収容部材は、軸を中心に回転方向に移動し、その移動量が微少の場合には、制御基板には表面又は裏面と略垂直方向に引かれる力が作用する。また、第一収容部材は、制御基板の表面又は裏面の一方側に配置され、第二収容部材は他方側に配置されており、第一収容部材と第二収容部材は、制御基板の表裏面を挟んで対向して配置している。したがって、制御基板には、表面に対して略垂直方向の剪断力が加わり、この剪断力によって脆弱部が破壊される。
【００２５】
係合を解除する方向の外力が基板ケースに加えられることにより、制御基板の表面に略垂直方向の剪断力が作用するため、比較的小さい外力によって脆弱部を破壊させることができる。基板ケースが不正に開放されないような、比較的小さな外力が作用した場合であっても制御基板を破壊して、不正開放の未遂行為も検出することができる。
【００２６】
また、基板ケースの不正開放検出構造は、基板ケースが第一収容部材の開口部と第二収容部材の開口部とが合わせられるように係合して、開口部に制御基板が収容可能に構成されており、基板ケースの一側面に沿って、第一収容部材又は第二収容部材がスライド移動することにより、第一収容部材と第二収容部材とが係合する状態と、第一収容部材と第二収容部材の係合を解除する状態と、が実現可能に構成されており、脆弱部は、基板ケースの一側面から開口部を挟んで対向する側面に向かう方向において、固定部と係止部との間に配置されているように構成されていてもよい。
【００２７】
このように構成された基板ケースによれば、第一収容部材と第二収容部材とによって画定された開口部に基板ケースを収容し、基板ケースの一側面に沿って第一収容部材又は第二収容部材をスライド移動させることによって、開口部を開閉して、第一収容部材と第二収容部材とが係合する状態と、係合を解除する状態と、を実現することができる。係合の方向に外力が加えられると、制御基板には第一収容部材側に引かれる力と、第二収容部材側に引かれる力が加わる。第一収容部材と第二収容部材は、スライド移動するため、制御基板には、表面に沿って反対方向に引かれる力が作用し、表面に沿った剪断力によって脆弱部が破壊される。係合を解除する外力の方向と制御基板に作用する剪断力の方向が同じ方向であるため、係合を解除する外力を減衰させずに、脆弱部を破壊する剪断力として作用しやすく構成できる。
【００２８】
また、基板ケースの不正開放検出構造は、基板ケースが第一収容部材と第二収容部材との係合状態を保持するとともに、係合を解除された際の痕跡を残留させる痕跡残留部が基板ケースに設けられていることが望ましい。
【００２９】
第一収容部材と第二収容部材の係合を解除する方向に外力が基板ケースに加えられることにより、制御基板の脆弱部が破壊されて、基板ケースが不正開放されたことを検出することができる。しかし、制御基板は、一部が破壊しており、新たな制御基板に交換することが必要となる。また、一部が破壊された制御基板は、回路が切断されているため再利用することもできず廃棄することとなる。
【００３０】
このような廃棄する制御基板を少なくするために、係合を解除された痕跡を残留させる痕跡残留部を設けることが好ましい。痕跡残留部は、第一収容部材と第二収容部材との係合状態を保持しており、係合状態を解除するには、残留痕跡部の保持状態を解除する必要がある。したがって、基板ケースの係合を解除する作業に手間と時間が掛かるようにすることができ、基板ケースの不正開放を抑止することができる。更に、痕跡残留部の存在により、係合を解除しても痕跡が残ることを不正に基板ケースを開放する者に対して認識させることができる。すなわち、残留痕跡部を設けることにより、係合状態を解除する不正行為を効果的に抑止して、基板ケースが不正に開放されることを防ぎ、廃棄する制御基板を少なくすることができる。
【００３１】
また、本発明の他の例示的な側面としての遊技機は、遊技を実現する遊技装置体と、遊技装置体を内包する遊技機枠と、上記の制御基板と、制御基板を収容して制御基板を遊技装置体又は遊技機枠に対して着脱自在に装着する基板ケースと、を有する。
【００３２】
この遊技機によれば、制御基板を収容した基板ケースの係合を解除する外力によって、制御基板の脆弱部が破壊されるため、制御基板による少なくとも一部の遊技制御を停止することができる。この制御機能の停止に基づいて、遊技を停止したり電源をＯＦＦにしたりすることによって、不正に開放された遊技機における不正な景品の払出しを効果的に防止できる。更に、制御基板の一部が破壊されることによって、スピーカ等で報知することにより、基板ケースが不正に開放されたことを早期に検出することが可能となる。
【００３３】
なお、遊技装置体とは、遊技機における遊技を実現するものであり、例えば、パチンコ遊技機であれば、遊技媒体の流下による遊技を実現する遊技盤、スロットマシンであれば、絵柄の組み合わせによる遊技を実現するリールを例示できる。また、制御基板ケースは、遊技装置体又は遊技機枠に対して装着できる構成であればよく、遊技装置体又は遊技機枠に対して直接装着できる構成であってもよいし、遊技装置体又は遊技機枠との間に部材が配置され、遊技装置体又は遊技機枠に対して間接的に装着できる構成であってもよい。
【００３４】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００３５】
本発明の更なる目的又はその他の特徴は、以下添付図面を参照して説明される好ましい実施の形態によって明らかにされるであろう。
【発明の効果】
【００３６】
本発明によれば、制御基板を収容した基板ケースの係合を解除する方向の外力により破壊される脆弱部が制御基板に設けられているため、基板ケースの係合が解除される外力によって制御基板の脆弱部が破壊されて、制御基板による制御機能の一部又は全部を停止することができる。制御基板の一部が破壊されることにより、基板ケースが不正に開放されたことをより確実に検出することができる。更に、制御基板の破壊に基づいて、遊技を停止したり電源をＯＦＦにしたりするように構成して、不正に開放された遊技機における不正な景品の払出しを効果的に防止することができる。
【発明を実施するための最良の形態】
【００３７】
［実施の形態１］
以下、本発明の実施の形態１について図面を用いて説明する。図１は、本発明の実施の形態１に係る遊技機としてのパチンコ機２の正面図である。図２は、図１に示すパチンコ機の背面図である。このパチンコ機２は、枠体（遊技機枠）３、遊技盤ユニット、前面ガラス（前面透明板）１０、発射ユニット（不図示）、貯留皿１４を有し、遊技盤ユニットには、遊技媒体としての球の流下による遊技を実現するための遊技領域が形成されている。
【００３８】
パチンコ機２は、遊技者が後述する発射ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３９】
パチンコ機２の枠体３は、後述する遊技盤ユニットを保持するためのもので、このパチンコ機２の周囲及び前方又はそれに加えて後方を囲むように構成される。枠体３の内部側には、遊技盤ユニットの他にも後述する各種電子基板や遊技媒体用の経路等各種機構部品が配置され、枠体３によって周囲側面及び前面又はそれに加えて後方からのパチンコ機２内部側への不正アクセスが防止されるようになっている。
【００４０】
パチンコ機２の周囲を囲む筐体枠４、その内側にヒンジ部（揺動支持部）２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤６を前方から遊技者が視認することができるようにするための透明部材である。
【００４１】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００４２】
遊技盤ユニットは、遊技盤面（表面）６ａ側の略中央にセンター役物７が配置された遊技盤６を有しており、その遊技盤面６ａには多数の遊技釘も配置されている。センター役物７の中央部には、図柄表示装置７ａが配置されるとともに、この図柄表示装置７ａの表示画面（映像表示面）７ｂを露出させるための開口部７ｄが形成されている。
【００４３】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００４４】
遊技盤６は、その遊技盤面６ａ側に球（遊技媒体）２３の流下による遊技を実現するための遊技領域１６を構成するための遊技装置体であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００４５】
遊技釘は、遊技領域１６を流下する球２３と衝突してその流下方向を変更させるものであり、多数が遊技領域内に配置されている。また、遊技領域１６には、普通入賞口２８、中央始動口２９、及び中央大入賞口３１等が配置されており、流下する球２３が各流入口に流入したり、遊技釘に衝突したりすることによって、球２３による流下遊技を楽しむことができるようになっている。
【００４６】
図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものは通過ゲート３３を通過し、あるものはいずれの入賞口にも流入せずに遊技領域内最下部に位置するアウト口３０に流入してアウト球としてパチンコ機２の外部側へと排出される。
【００４７】
球２３が通過ゲート３３を通過すると、その通過ゲート３３の通過に起因して状態変更抽選手段（不図示）による抽選が行われ、その抽選結果が当たりの場合に、中央始動口２９の開閉羽根が開放され、球が入球し易い状態を実現する。この中央始動口２９に流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当りが発生する。そして、中央大入賞口３１が開放して多量の入賞球を受け入れ、多量の景品球が貯留皿１４へと払い出されるようになっている。
【００４８】
遊技盤６の裏面側には、パチンコ機２の全体の制御を行う主制御基板３４を収容した主制御基板ケース３５と、図柄表示装置７ａの画像演出の制御を行う画像制御基板（図示せず）を収容した画像制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４９】
次いで、図３から図８に基づいて主制御基板３４及び主制御基板ケース３５の構造について詳細に説明する。なお、本実施の形態１では、主制御基板３４を例示して説明するが、他の制御基板についても同様の構造を採用することは可能である。また、以下の説明における上下及び前後左右は、遊技盤６の裏面側から主制御基板ケース３５を視認した際の方向であり、図４にその方向を図示する。
【００５０】
図３は、主制御基板ケース３５の平面図であり、図４は、主制御基板３４及び主制御基板ケース３５の分解斜視図である。主制御基板ケース３５は、遊技盤６の裏面側に着脱自在に固定される第二収容部材としての本体部材３５ａと、本体部材３５ａに対して着脱自在に固定される第一収容部材としての蓋部材３５ｂと、を有する。主制御基板３４は、蓋部材３５ｂの内面側に形成された開口部に固定されて、蓋部材３５ｂと本体部材３５ａとが係合することにより、主制御基板ケース３５の内部に収容される。この収容された状態では、主制御基板３４に対して外部から接触することはできない。
【００５１】
主制御基板３４は、ＲＯＭ、ＲＡＭ等の電子デバイスや、接続コネクタ等の電子部品を有している。主制御基板３４は、固定部としての固定穴３４ａが形成されている。主制御基板３４の後側から固定穴３４ａに固定螺子３５ｃを挿入して、この固定螺子３５ｃと蓋部材３５ｂの螺子穴（図示せず）とを螺子止めすることにより、主制御基板３４が蓋部材３５ｂに固定される。
【００５２】
主制御基板ケース３５の左側部には、ヒンジ部が設けられている。ヒンジ部は、本体部材３５ａの左側壁面に沿った軸部３５ｄと、この軸部３５ｄに係止する円弧状の弧状爪部３５ｅと、からなり、軸部３５ｄは本体部材３５ａに形成され、弧状爪部３５ｅは蓋部材３５ｂに形成されている。蓋部材３５ｂは本体部材３５ａに対してヒンジ部を軸として揺動可能に支持されており、蓋部材３５ｂが本体部材３５ａに対して回転移動することより、主制御基板ケース３５の開口部を開放した開状態と、閉鎖した閉状態とを実現する。
【００５３】
更に、主制御基板３４の左右方向における略中心に配置された固定穴３４ａの右側には、係止部としての係止穴３４ｂが形成されている。また、主制御基板３４の固定穴３４ａと係止穴３４ｂの間には、脆弱部としての薄肉部３４ｃが形成されている。固定穴３４ａ、係止穴３４ｂ、及び薄肉部３４ｃは、不正開放検出構造を構成している。また、本体部材３５ａには、主制御基板ケース３５に収容された主制御基板３４の係止穴３４ｂに係止可能な突出係止部３５ｆが形成されている。更に、蓋部材３５ｂには、主制御基板３４と当接する規制部としてのボス３５ｒが形成されている。
【００５４】
突出係止部３５ｆは、係止穴３４ｂの径より大きい大径部が形成されており、大径部から先端側に向かって径が小さくなるような先細り形状である。突出係止部３５ｆは、主制御基板ケース３５が開状態から閉状態になるように蓋部材３５ｂが回転移動する際は、突出係止部３５ｆの先端の先細り形状から係止穴３４ｂに挿入可能であり、主制御基板ケース３５が閉状態となることにより、大径部が係止穴３４ｂを貫通するように構成されている。突出係止部３５ｆの大径部は、係止穴３４ｂよりも径が大きく、突出係止部３５ｆの大径部が係止穴３４ｂを貫通することにより、主制御基板３４が本体部材３５ａに係止して、主制御基板３４が本体部材３５ａから離間する方向の移動が規制される。
【００５５】
ボス３５ｒは、蓋部材３５ｂに主制御基板３４が固定された状態で、主制御基板３４と当接しており、主制御基板３４が蓋部材３５ｂ側に撓むことを抑制するように構成されている。したがって、突出係止部３５ｆが主制御基板３４の係止穴３４ｂに挿入する際に、突出係止部３５ｆによって主制御基板３４が蓋部材３５ｂ側に押圧されても、ボス３５ｒが主制御基板３４と当接して主制御基板３４の撓みを抑制する。このようなボス３５ｒを設けることにより、突出係止部３５ｆが係止穴３４ｂに挿入する際の主制御基板３４の撓みや、それに伴って主制御基板が割れることを抑制することができる。
【００５６】
なお、規制部は、蓋部材３５ｂに固定された主制御基板３４の撓みを防止できるように構成されていればよく、ボスに限られず、蓋部材３５ｂと一体に形成されたリブによって構成してもよい。また、本実施の形態では、係止穴３４ｂに対して二個のボス３５ｒを設けているが、主制御基板３４の強度、係止穴３４ｂ及び突出係止部３５ｆの形状等によって適宜設定することができ、一個のみ設けてもよいし、係止穴３４ｂの周囲を囲むように設けてもよい。
【００５７】
また、主制御基板３４は、固定穴３４ａを介して蓋部材３５ｂに固定されている。したがって、主制御基板ケース３５に主制御基板３４が固定され、この主制御基板ケース３５が閉状態となると、主制御基板３４は、本体部材３５ａ及び蓋部材３５ｂの双方から離間する方向の移動が規制される。
【００５８】
薄肉部３４ｃは、主制御基板３４の上下方向に沿って、主制御基板３４の表面及び裏面に形成されている。薄肉部３４ｃは、主制御基板３４の板厚が薄くなるような窪みであり、主制御基板３４の他の部分より強度が低い。薄肉部３４ｃを挟んで固定穴３４ａと係止穴３４ｂが配置されており、薄肉部３４ｃの右側に固定穴３４ａが配置され、薄肉部の左側に係止穴３４ｂが配置されている。主制御基板ケース３５が開状態となる方向の外力が加わると、主制御基板３４における薄肉部３４ｃの右側には固定穴３４ａを介して蓋部材３５ｂ側に引かれる前方向の力が作用し、薄肉部３４ｃの左側には係止穴３４ｂを介して本体部材３５ａ側に引かれる後方向の力が作用する。したがって、薄肉部３４ｃを挟んで反対方向に力が作用して、薄肉部３４ｃに前後方向の剪断力が作用して、薄肉部３４ｃが切断される。
【００５９】
なお、本実施の形態では、薄肉部３４ｃは主制御基板３４の表面及び裏面に形成されているが、この構成に限られず、主制御基板３４の表面又は裏面のいずれか一方に配置してもよい。主制御基板３４の強度、係止穴３４ｂ及び固定部３４ａの配置等に応じて適宜設定することができる。また、好適には、主制御基板３４の表面又は裏面のうち破壊されやすい面に形成することが望ましい。本実施の形態において破壊されやすい面とは、係止穴３４ｂに挿入された係止突出部３５ｆ側と反対の面であり、蓋部材３５ｂ側の面である。主制御基板３４は、突出係止部３５ｆによって本体部材３５ａ側に押さえられた状態で蓋部材３５ｂ側に引かれるため、蓋部材３５ｂ側の面は本体部材３５ａ側の面よりも破壊されやすくなる。
【００６０】
主制御基板ケース３５の右側部には、痕跡残留部としての封止部が形成されている。封止部は、本体部材３５ａの右側壁面に対して突出して形成された本体カシメ部３５ｇと、蓋部材３５ｂの右側壁面に連結部材３５ｈを介して接続された蓋カシメ部３５ｋと、本体カシメ部３５ｇと蓋カシメ部３５ｋとの間に収容可能な封止片３５ｍと、からなる。本体カシメ部３５ｇと蓋カシメ部３５ｋは、本体部材３５ａの右側壁面から側方に突出して配置されている。本体カシメ部３５ｇと蓋カシメ部３５ｋは、それぞれ４個ずつ設けられており、各カシメ部内に封止片３５ｍが収容される。
【００６１】
封止片３５ｍは、「ロック」の文字が印字された表面が前方に位置する第一状態又は表面が後側に位置する第二状態で各カシメ部に収容される。封止片３５ｍの側壁面には封止爪部３５ｎが突出形成されている。各カシメ部の内壁面には第一状態の封止片３５ｍの封止爪部３５ｎが挿入可能な内壁穴３５ｐが形成されている。
【００６２】
本体カシメ部３５ｇ内に係止爪部３５ｎを第一状態で配置して基板ケースを閉状態とすると、封止片３５ｍは、本体カシメ部３５ｇ及び蓋カシメ部３５ｋと嵌合する。この状態では、封止片３５ｍの封止爪部３５ｎは、本体カシメ部３５ｇの内壁穴３５ｐ及び蓋カシメ部３５ｋの内壁穴３５ｐと嵌合している。封止爪部３５ｎの厚みは、各カシメ部に対する挿入方向の先端側が小さく後端側が大きくなるように形成されており、封止爪部３５ｎの後端は、封止片３５ｍの側壁面と段差が生じるように形成されている。したがって、本体カシメ部３５ｇと蓋カシメ部３５ｋに第一状態の封止片３５ｍを収容すると、封止爪部３５ｎが内壁穴３５ｐと嵌合して、主制御基板ケース３５の閉状態が保持される封止状態となる。
【００６３】
一方、本体カシメ部３５ｇに封止片３５ｍを第二状態で配置して基板ケースを閉状態とすると、封止爪部３５ｎの位置が第一状態とは異なり、封止爪部３５ｎと内壁穴３５ｐとが嵌合せず、基板ケースの閉状態は保持されない。
【００６４】
したがって、主制御基板ケース３５を閉状態で封止する際には、いずれかの封止片３５ｍを第一状態として各カシメ部に配置し、他の封止片３５ｍを第二状態として各カシメ部に配置して、基板ケースを閉状態とする。これにより、主制御基板ケース３５は、第一状態の封止片３５ｍと内壁穴３５ｐと嵌合して封止状態となる。
【００６５】
このような封止部によって主制御基板ケース３５を封止することにより、封止状態を解除することは困難であり、主制御基板ケース３５を開封するためには、第一状態の封止片３５ｍを収容した蓋カシメ部３５ｋと連結された連結部材３５ｈを切断して、この蓋カシメ部３５ｋを蓋部材３５ｂから切り離すことが必要である。したがって、主制御基板ケース３５を開封した後は、連結部材３５ｈを切断した痕跡が残り、主制御基板ケース３５が不正に開放されたことを検出することができる。
【００６６】
しかし、連結部材３５ｈを切断した痕跡は、主制御基板ケース３５を視認しなければ検出できず、主制御基板ケース３５が不正に開放されたことを早期に発見できないおそれがある。この対策として、本実施の形態１に係る主制御基板ケース３５は、封止部と合わせて不正開放検出構造が設けられている。
【００６７】
次いで、主制御基板ケース３５の不正開放検出構造について、主制御基板ケース３５を用いた主制御基板３４の収容方法及びその解除方法に沿って詳細に説明する。図５、図６及び図８は、主制御基板３４を収容した主制御基板ケース３５の断面図であり、いずれも図３におけるＡ−Ａ矢視を示している。図７は、図６に示すＢ部分の部分拡大図である。
【００６８】
主制御基板ケース３５に主制御基板３４を収容する際は、蓋部材３５ｂに主制御基板３４を固定螺子３５ｃによって固定する。そして、本体カシメ部３５ｇに封止片３５ｍを第一状態となるように配置した後に、蓋部材３５ｂを回転移動して、主制御基板ケース３５を閉状態とする方向に移動する。図５は、蓋部材３５ｂを回転移動している状態を示す。
【００６９】
更に、蓋部材３５ｂを回転移動して主制御基板ケース３５が閉状態となることにより、本体部材３５ａの本体カシメ部３５ｇ及び蓋部材３５ｂの蓋カシメ部３５ｋと封止片３５ｍが嵌合して、主制御基板ケース３５は封止状態となる。図６は、封止状態の主制御基板ケース３５である。この状態では、本体部材３５ａの突出係止部３５ｆは、主制御基板３４の係止穴３４ｂを貫通している。したがって、主制御基板３４は、固定穴３４ａを介して蓋部材３５ｂに固定されており、係止穴３４ｂを介して本体部材３５ａに係止されており、本体部材３５ａ及び蓋部材３５ｂから離間する方向の移動が規制されている。
【００７０】
このように封止された主制御基板ケース３５は、封止部によって封止状態が保持されており、この封止状態を解除するためには、連結部材３５ｈを切断しなければならない。したがって、開封作業に手間と時間が掛かり、更に開封してもその痕跡が残るため、不正開放を抑止できる。それにも拘わらず、蓋部材３５ｂと蓋カシメ部３５ｋを連結する連結部材３５ｈが切断された場合には、蓋部材３５ｂは主制御基板ケースを開状態とする方向に移動可能となる。
【００７１】
図８は、封止が解除された主制御基板ケース３５の開状態を示している。主制御基板ケース３５を開放する方向に蓋部材を移動させる外力が加わると、薄肉部３４ｃの右側は固定穴３４ａを介して蓋部材３５ｂ側に引かれる前方向の力が作用し、薄肉部３４ｃの左側は係止穴３４ｂを介して本体部材３５ａ側に引かれる後方向の力が作用する。したがって、薄肉部３４ｃを挟んで反対方向に力が作用して、薄肉部３４ｃに前後方向の剪断力が作用して薄肉部３４ｃが切断される。
【００７２】
このように、蓋部材３５ｂと蓋カシメ部３５ｋを連結する連結部材３５ｈを切断して主制御基板ケース３５を開放しようとすると、ケース内部に収容された主制御基板３４が破壊され、主制御基板３４の一部又は全部の遊技の制御機能は発揮されなくなり、不正に主制御基板ケース３５が開放されたことをより確実に検出することができる。更に、主制御基板３４の薄肉部３４ｃが破壊されることによって、遊技を停止することにより、例えば、不正な景品球の払出し等、不正な遊技の継続を効果的に防止することが可能となる。
【００７３】
また、本実施の形態１では、主制御基板ケース３５の左右方向における略中央より封止部側に薄肉部３５ｃを設けているが、より好ましくは、主制御基板ケース３５の開閉動作の軸となる軸部３５ｄ側に設けることが望ましい。薄肉部３５ｃを軸部３５ｄ側に設けることにより、薄肉部３５ｃに掛かる力を大きくして、薄肉部３５ｃを破壊されやすくすることができる。
【００７４】
［実施の形態２］
なお、本発明に掛かる不正開放検出構造が設けられる基板ケースの構造は、実施の形態１に係る主制御基板ケース３５に限られず、変形例を概念することができる。図９は、実施の形態２に係る基板ケース４１の分解斜視図である。実施の形態２に係る基板ケースは、第一収容部材と第二収容部材とがスライド移動することにより、開状態と閉状態とを実現可能な基板ケースである。
【００７５】
基板ケース４１は、第二収容部材としての本体部材４１ａと第一収容部材としての蓋部材４１ｂを有しており、制御基板４０には、固定穴４０ａが形成されている。制御基板４０の後側から固定穴４０ａに固定螺子４１ｅを挿入して、この固定螺子４１ｅと蓋部材４１ｂの螺子穴（図示せず）とを螺子止めすることにより、蓋部材４１ｂに制御基板４０が固定される。蓋部材４１ｂと本体部材４１ａとが係合することにより、基板ケース４１の内部に制御基板４０が収容される。
【００７６】
基板ケース４１の上下側壁面には、スライド機構が形成されている。スライド機構は、本体部材４１ａに形成されたスライド溝４１ｃと、蓋部材４１ｂに形成されたスライド片４１ｄと、からなる。スライド溝４１ｃは、本体部材４１ａの上側壁面及び下側壁面から後方及び内方に向けて形成された溝である。スライド溝４１ｃの前方に位置する開口部分は、左半分が塞がれており、右半分が開口している。スライド片４１ｄは、本体部材４１ａのスライド溝４１ｃと対向するように、蓋部材４１ｂに突出形成されている。
【００７７】
基板ケース４１を閉状態とする際は、本体部材４１ａのスライド溝４１ｃの開口部分に蓋部材４１ｂのスライド片４１ｄを挿入して、蓋部材４１ｂを左方向にスライド移動させる。これにより、本体部材４１ａのスライド溝４１ｃと蓋部材４１ｂのスライド片４１ｄが嵌合して、基板ケース４１は閉状態となる。一方、閉状態から開状態とする際には、本体部材４１ａに対して蓋部材４１ｂを右側にスライド移動させて、スライド溝４１ｃとスライド片４１ｄとの嵌合を解除する。
【００７８】
更に、制御基板４０は、制御基板４０の上側に配置された固定穴４０ａの上方に係止部としての係止穴４０ｂが形成されており、上下方向における固定穴４０ａと係止穴４０ｂの間に脆弱部としての薄肉部４０ｃが形成されている。固定穴４０ａ、係止穴４０ｂ及び薄肉部４０ｃは、不正開放防止構造を構成する。また、本体部材４１ａには、基板ケース４１に制御基板４０が収容された際に、係止穴４０ｂに挿入可能であるが、係止穴４０ｂから抜ける方向に移動不可能に構成された突出係止部４１ｆが形成されている。
【００７９】
突出係止部４１ｆは、左右方向に傾斜する傾斜面が形成されており、右側の方が高くなるように配置されており、前側から押圧されることにより後側に撓むように構成されている。本体部材４１ａに対して蓋部材４１ｂをスライド移動すると、突出係止部４１ｆの傾斜面に沿って制御基板４０は左方向にスライド移動する。このスライド移動している際は、前側に配置された制御基板４０によって突出係止部４１ｆが後方に押圧されており、突出係止部４１ｆは制御基板４０の裏面に配置されている。スライド溝４１ｃとスライド片４１ｄが嵌合する位置にスライド移動すると、突出係止部４１ｆの傾斜面の頂点が係止穴４０ｂに挿入するように構成されている。この状態において、突出係止部４１ｆは、制御基板４０の係止穴４０ｂに挿入し、制御基板４０によって後方に押圧されないため、突出係止部４１ｆは後方に撓まない。したがって、スライド溝４１ｃとスライド片４１ｄが嵌合すると、突出係止部４１ｆは係止穴４０ｂに挿入し、制御基板４０が本体部材４１ａから離間する方向の移動が規制される。
【００８０】
また、制御基板４０は、固定穴４０ａを介して蓋部材４１ｂに固定されている。したがって、基板ケース４１に制御基板４０が固定され、この基板ケース４１が閉状態となると、制御基板４０は、本体部材４１ａ及び蓋部材４１ｂの双方から離間する方向の移動が規制される。
【００８１】
薄肉部４０ｃは、制御基板４０の左右方向に沿って、制御基板４０の表面及び裏面に形成されている。薄肉部４０ｃを挟んで固定穴４０ａと係止穴４０ｂが配置されており、薄肉部４０ｃの下側に固定穴４０ａが配置され、薄肉部４０ｃの左側に係止穴４０ｂが配置されている。基板ケース４１を開状態とする方向の外力は、蓋部材４１ｂを本体部材４１ａに対して右側にスライドさせる方向の力である。したがって、開状態とする外力が基板ケース４１に加わると、薄肉部４０ｃの下側には固定穴４０ａを介して蓋部材４１ｂ側に引かれる右方向の力が作用し、薄肉部４０ｃの上側には係止穴４０ｂを介して本体部材４１ａ側に引かれる左方向の力が作用する。したがって、制御基板４０の薄肉部４０ｃを挟んで左右反対方向に力が作用して、薄肉部４０ｃに左右方向の剪断力が作用して、薄肉部４０ｃが切断される。
【００８２】
また、基板ケース４１の左端部には、本体部材４１ａに設けられた本体カシメ部４１ｇと、蓋部材４１ｂに連結部材４１ｈを介して設けられた蓋カシメ部４１ｋと、本体カシメ部と蓋カシメ部との間に収容される封止片４１ｍと、からなる。本体カシメ部４１ｇと蓋カシメ部４１ｋは、それぞれ４個ずつ設けられており、各カシメ部内には封止片４１ｍが収容される。
【００８３】
封止片４１ｍは、「ロック」の文字が印字された表面が前方に位置する第一状態又は表面が後側に位置する第二状態で各カシメ部に収容される。封止片４１ｍの裏面には封止爪部４１ｎが突出形成されている。各カシメ部の内壁面には第一状態の封止片４１ｍの封止爪部４１ｎが挿入可能な内壁穴（図示せず）が形成されている。
【００８４】
本体カシメ部４１ｇに封止片４１ｍを第一状態で配置して基板ケース４１を閉状態とすると、封止片４１ｍは、本体カシメ部４１ｇ及び蓋カシメ部４１ｋと嵌合して、基板ケース４１の閉状態が保持される封止状態となる。一方、本体カシメ部４１ｇに封止片４１ｍを第二状態で配置して基板ケースを閉状態とすると、封止片４１ｍと本体カシメ部４１ｇ及び蓋カシメ部４１ｋが嵌合せず、基板ケース４１の閉状態は保持されない。
【００８５】
次いで、基板ケース４１の不正開放検出構造について、基板ケース４１を用いた制御基板４０の収容方法及びその解除方法に沿って詳細に説明する。
【００８６】
基板ケース４１に制御基板４０を収容する際は、蓋部材４１ｂに制御基板４０を固定螺子４１ｅによって固定する。そして、本体カシメ部４１ｇに封止片４１ｍを第一状態となるように配置した後に、蓋部材４１ｂのスライド片４１ｄを本体部材４１ａのスライド溝４１ｃに挿入する。突出係止部４１ｆは、制御基板４０の裏面側に位置しており、係止穴４０ｂ内に挿入していない状態である。
【００８７】
本体部材４１ａに対して蓋部材４１ｂを左側にスライド移動して、基板ケース４１が閉状態となることにより、本体部材４１ａの本体カシメ部４１ｇ及び蓋部材４１ｂの蓋カシメ部４１ｋと封止片４１ｍが嵌合して、基板ケース４１は封止状態となる。突出係止部４１ｆは、係止穴４０ｂを貫通している。したがって、制御基板４０は、固定穴４０ａを介して蓋部材４１ｂに固定されており、係止穴４０ｂを介して本体部材４１ａに係止されており、本体部材４１ａ及び蓋部材４１ｂから離間する方向の移動が規制されている。
【００８８】
このように封止された基板ケース４１の蓋部材４１ｂと蓋カシメ部４１ｋの連結部材４１ｈが切断されることにより、本体部材４１ａに対して蓋部材４１ｂは右側にスライド移動可能となる。基板ケース４１を開放する方向に蓋部材４１ｂを移動させる外力が加わると、薄肉部４０ｃの下側には固定穴４０ａを介して蓋部材４１ｂ側に引かれる力が作用し、薄肉部４０ｃの上側には係止穴４０ｂを介して本体部材４１ａに引かれる左方向の力が作用する。したがって、薄肉部４０ｃを挟んで反対方向に力が作用して、薄肉部４０ｃに左右方向の剪断力が作用して薄肉部４０ｃが切断される。
【００８９】
このように、実施の形態２に係る基板ケース４１によっても、蓋部材４１ｂと蓋カシメ部４１ｋを連結する連結部材４１ｈを切断して基板ケース４１を開放しようとすると、ケース内部に収容された制御基板４０が破壊される。制御基板４０の一部が破壊されることにより、制御基板４０の一部又は全部の遊技の制御機能は発揮されなくなり、不正に基板ケース４１が開放されたことをより確実に検出することができる。
【００９０】
以上、本発明の好ましい実施の形態を説明したが、本発明はこれらに限定されるものではなく、その要旨の範囲内で様々な変形や変更が可能である。例えば、制御基板が破壊されることにより、異常信号を発生するように構成して、この異常信号を外部出力端子板３９を介して、ホール店員等の外部に報知することもできる。このように、不正に開放されたことを報知する報知手段を設けることにより、不正に開放されたことをより早期に検出することが可能となる。
【００９１】
更に、基板ケースの構造は、実施の形態１のように本体部材と蓋部材が回転方向に移動して開閉する構造や、実施の形態２のように本体部材と蓋部材がスライド移動して開閉する構造のみならず、本体部材と蓋部材が軸等を介さずに分離して、互いに離間することにより開閉する構造であってもよい。
【図面の簡単な説明】
【００９２】
【図１】本発明の実施の形態１に係るパチンコ機の正面図である。
【図２】図１に示すパチンコ機の背面図である。
【図３】実施の形態１に係る主制御基板ケースの平面図である。
【図４】図３に示す主制御基板ケースの分解斜視図である。
【図５】図３に示す主制御基板ケースのＡ−Ａ断面図であって、開状態から閉状態となる過程の状態を示している。
【図６】図３に示す主制御基板ケースのＡ−Ａ断面図であって、閉状態を示している。
【図７】図６に示す主制御基板ケースのＢ部分拡大図である。
【図８】図３に示す主制御基板ケースのＡ−Ａ断面図であって、閉状態を示している。
【図９】実施の形態２に係る基板ケースの分解斜視図である。
【符号の説明】
【００９３】
２：パチンコ機（遊技機）
３：枠体（遊技機枠）
４：筐体枠（枠体の一部）
６：遊技盤（遊技装置体）
６ａ：遊技盤面（表面）
７：センター役物
７ａ：図柄表示装置
７ｂ：表示画面（映像表示面）
７ｃ：表示図柄
７ｄ：開口部
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
２２：ヒンジ部（揺動支持部）
２３：球（遊技媒体）
２８：普通入賞口
２９：中央始動口
３０：アウト口
３１：中央大入賞口
３２：装飾部材
３３：通過ゲート
３４：主制御基板（制御基板）
３４ａ：固定穴（固定部）
３４ｂ：係止穴（係止部）
３４ｃ：薄肉部（脆弱部）
３５：主制御基板ケース（制御基板ケース）
３５ａ：本体部材（第二収容部材）
３５ｂ：蓋部材（第一収容部材）
３５ｃ：固定螺子
３５ｄ：軸部
３５ｅ：弧状爪部
３５ｆ：突出係止部
３５ｇ：本体カシメ部
３５ｈ：連結部材
３５ｋ：蓋カシメ部
３５ｍ：封止片
３５ｎ：封止爪部
３５ｐ：内壁穴
３５ｒ：リブ（規制部）
３６：画像制御基板ケース
３７：払出制御基板ケース
３８：電源基板ケース
３９：外部出力端子板
４０：制御基板
４０ａ：固定部
４０ｂ：係止穴
４０ｃ：薄肉部
４１：基板ケース
４１ａ：本体部材
４１ｂ：蓋部材
４１ｃ：スライド溝
４１ｄ：スライド片
４１ｅ：固定螺子
４１ｆ：突出係止部
４１ｇ：本体カシメ部
４１ｈ：連結部材
４１ｋ：蓋カシメ部
４１ｍ：封止片
４１ｎ：封止爪部
【図１】
2010022584.tif 000003
【図２】
2010022584.tif 000004
【図３】
2010022584.tif 000005
【図４】
2010022584.tif 000006
【図５】
2010022584.tif 000007
【図６】
2010022584.tif 000008
【図７】
2010022584.tif 000009
【図８】
2010022584.tif 000010
【図９】
2010022584.tif 000011